(57)【要約】【課題】携帯用品を簡単に身体に対し無駄な揺れや動きがないように保持する。【解決手段】物品保持用ショルダーベルトは、リング状部分とその一部に接続されたベルト状部分とそのベルト状部分に取り付けられた収容部とを備える。ベルト状部分が、リング状部分に接続された部分から離れた位置にある部分に、互いに接着可能な２つの面状ファスナー部を備えるようにしてもよい。リング状部分に身体の腕を挿通し、ベルト状部分を身体の首の後ろを通して身体の胸の側に垂れさがるように配置したときには、ベルト状部分の端部を身体の腰に巻かれたベルト状部材を通って折り返して一方の面状ファスナー部を他方の面状ファスナー部に接着させる。【選択図】図６
2010046410.tif 000002
【特許請求の範囲】
【請求項１】
リング状部分と、その一部に接続されたベルト状部分と、そのベルト状部分に取り付けられた収容部とを備える、物品保持用ショルダーベルト。
【請求項２】
請求項１の物品保持用ショルダーベルトにおいて、前記リング状部分が、略Ｌ字形状に形成された帯状部材の端部同士を接続することによって形成される、物品保持用ショルダーベルト。
【請求項３】
請求項２の物品保持用ショルダーベルトにおいて、前記ベルト状部分が、略Ｙ字形状を形成するように接続された２つの帯状部分をさらに備えており、前記リング状部分の前記略Ｌ字形に形成された帯状部分の端部が、それぞれ前記２つの帯状部分に接続される、物品保持用ショルダーベルト。
【請求項４】
請求項１の物品保持用ショルダーベルトにおいて、前記リング状部分が、身体の腕を通すことのできる程度の大きさを持ち、前記ベルト状部分が、前記リング状部分に身体の腕を挿通した場合に、身体の首の後ろを通って身体の胸の前に垂れさがるように配置される程度の大きさを持つ、物品保持用ショルダーベルト。
【請求項５】
請求項１の物品保持用ショルダーベルトにおいて、前記ベルト状部分が、前記リング状部分に接続された部分から離れた端部の近くの部分に、互いに接着可能な２つの面状ファスナー部を備えていて、前記リング状部分に身体の腕を挿通して、前記ベルト状部分を身体の首の後ろを通して身体の胸の側に垂れさがるように配置した場合に、前記ベルト状部分の端部が、身体の腰に巻かれたベルト状部材に巻きつくように折り返されて、一方の面状ファスナー部を他方の面状ファスナー部に接着させることによって身体に装着する、物品保持用ショルダーベルト。
【請求項６】
リング状部分と、その一部に接続されたベルト状部分と、そのベルト状部分に取り付けられた収容部と、前記ベルト状部分の前記リング状部分に接続された部分から離れた端部の近くの部分に形成された互いに接着可能な２つの面状ファスナー部分と、身体の胸又は胴の周りに配置する固定用ベルト状部材であって、前記リング状部分の前記ベルト状部分が接続された位置と対向する位置にある部分に接続された固定用ベルト状部材とを備える、物品保持用ショルダーベルト。
【請求項７】
請求項６の物品保持用ショルダーベルトにおいて、前記固定用ベルト状部材を身体の胸又は胴の周りに配置した際に、前記ベルト状部分の前記面状ファスナー部分の形成された部分の一部を、前記固定用ベルト状部材を通して折り返して前記面状ファスナー部分の一方を他方の面状ファスナー部分に接着することによって身体に装着する、物品保持用ショルダーベルト。
【発明の詳細な説明】
【技術分野】
【０００１】
本発明は、例えば携帯用通信機器等の物品を身に付けるように保持するための物品保持用ショルダーベルトに関する。
【背景技術】
【０００２】
例えば携帯電話を持って歩く際には、それを衣類のポケットに収容したり、手にぶら下げたバッグに収容したり、腰のベルトに引っ掛けたホルダーに収容したり、首又は肩に掛けたショルダーベルトにぶら下げる小さなケースに収容したりすることが多く行われている。
【特許文献１】特開平９−５５７８７号公報  特許文献１は、首に掛けるためのショルダーベルトに取り付けたケースに、携帯用通信機器を収容する構成を開示する。
【特許文献２】特開２００４−２０９０５２号公報  特許文献２は、組み合わせたベルトに携帯用品の収納のためのポケットを備える構成を開示する。
【０００３】
ショルダーベルトにぶら下げた収容ケースは、人の動きとともに揺れ動くため、その収容ケースやその中に収容されている物が人の動きの邪魔になることがある。また、その収容ケースが揺れ動く際に、周囲の物に衝突して収容ケース内の物を破損させることがある。
【発明の開示】
【発明が解決しようとする課題】
【０００４】
そこで、本発明は、収容ケースを簡単に身体に対し無駄な動きが生じないように固定することができる物品保持用ショルダーベルトを提供することを目的とする。
【０００５】
また、本発明は、身体の大小に関わらず容易に着用することができる物品保持用ショルダーベルトを提供することを目的とする。
【課題を解決するための手段】
【０００６】
上記の課題を達成するために、本発明に係る物品保持用ショルダーベルトは、リング状部分と、その一部に接続されたベルト状部分と、そのベルト状部分に取り付けられた収容部とを備えることを特徴とする。
【０００７】
その物品保持用ショルダーベルトにおいて、リング状部分が、略Ｌ字形状に形成された帯状部材の端部同士を接続することによって形成されるようにしてもよい。
【０００８】
その物品保持用ショルダーベルトにおいて、ベルト状部分が、略Ｙ字形状を形成するように接続された２つの帯状部分をさらに備えており、リング状部分の略Ｌ字形に形成された帯状部分の端部が、それぞれ２つの帯状部分に接続されるようにしてもよい。
【０００９】
その物品保持用ショルダーベルトにおいて、リング状部分が、身体の腕を通すことのできる程度の大きさを持ち、ベルト状部分が、リング状部分に身体の腕を挿通した場合に、身体の首の後ろを通って身体の胸の前に垂れさがるように配置される程度の大きさを持つようにしてもよい。
【００１０】
その物品保持用ショルダーベルトにおいて、ベルト状部分が、リング状部分に接続された部分から離れた端部の近くの部分に、互いに接着可能な２つの面状ファスナー部を備えていて、リング状部分に身体の腕を挿通して、ベルト状部分を身体の首の後ろを通して身体の胸の側に垂れさがるように配置した場合に、ベルト状部分の端部が、身体の腰に巻かれたベルト状部材に巻きつくように折り返されて、一方の面状ファスナー部を他方の面状ファスナー部に接着させることによって身体に装着することができる。
【００１１】
また、本発明に係る物品保持用ショルダーベルトは、リング状部分と、その一部に接続されたベルト状部分と、そのベルト状部分に取り付けられた収容部と、ベルト状部分のリング状部分に接続された部分から離れた端部の近くの部分に形成された互いに接着可能な２つの面状ファスナー部分と、身体の胸又は胴の周りに配置する固定用ベルト状部材であって、リング状部分のベルト状部分が接続された位置と対向する位置にある部分に接続された固定用ベルト状部材とを備えることを特徴とする。
【００１２】
その物品保持用ショルダーベルトにおいて、固定用ベルト状部材を身体の胸又は胴の周りに配置した際に、ベルト状部分の面状ファスナー部分の形成された部分の一部を、固定用ベルト状部材を通して折り返して面状ファスナー部分の一方を他方の面状ファスナー部分に接着することによって身体に装着するようにしてもよい。
【発明の効果】
【００１３】
本発明に係る物品保持用ショルダーベルトによると、収容ケースを簡単に身体に対し無駄な動きが生じないように固定することができる。
【００１４】
また、本発明に係る物品保持用ショルダーベルトによると、身体の大小に関わらず容易に着用することができる。
【発明を実施するための最良の形態】
【００１５】
以下、本発明に係る本発明に係る物品保持用ショルダーベルトの望ましい実施形態について、添付の図面を参照しながら説明する。なお、図中、同じ要素に対しては同じ符号を付して重複した説明を省略する。また、部材の板厚や間隔は理解の容易なために誇張したり省略したりして描いていることを理解願いたい。
【００１６】
［物品保持用ショルダーベルトの構成］
図１及び図２は、本発明の一実施形態に係る物品保持用ショルダーベルト１の斜視図である。物品保持用ショルダーベルト１は、リング状部分２と、肩部用ベルト状部分３と、収容部用ベルト状部分４とからなる。肩部用ベルト状部分３と収容部用ベルト状部分４とによってベルト状部分を構成する。図１は、リング状部分２を手前側に配置した状態を示す斜視図であり、図２は、収容部用ベルト状部分４を手前側に配置した状態を示す斜視図である。
【００１７】
図３は、リング状部分２のみを取り外した部品図を示す。その図に示すように、リング状部分２は、１本のベルト状の部材を略Ｌ字状になるよう直角になるように折り曲げて縫製したもので、２つのベルト状部材３１，３２からなる。ただし、２本のベルト状の部材の端部を直角になるように縫い合わせたり接着したりしてもよい。
【００１８】
また、リング状部分２の２つのベルト状部材３１，３２は直線状に形成されているが、それぞれは湾曲したものであってもよい。
【００１９】
２つのベルト状部材３１，３２の直角に交わる角には、帯状の部材を折り曲げてループ状の係合部３３を縫い付けてある。そのループ状の係合部３３の空間には図示せぬベルト状部材を挿通することができる。その図示せぬベルト状部材を、例えば、身体の胸の周りに巻きつけると、他のベルト等を用いることなく、リング状部分２を身体に固定することができる。
【００２０】
また、ベルト状部材３１には、２種類の面状ファスナー部分３１Ａ、３１Ｂが形成されていて、ベルト状の部材３１を折り曲げて面状ファスナー部分３１Ａと面状ファスナー部分３１Ｂとを合わせると、それらは互いにくっつくことができる。同様に、ベルト状の部材３２には、面状ファスナー部分３２Ａ、３２Ｂが形成されていて、ベルト状の部材３２を折り曲げて面状ファスナー部分３２Ａと面状ファスナー部分３２Ｂとを接触させると、それらは互いに接着することができる。折り曲げる長さを変えてそれらくっつく部分の長さを調整することによって、リング状部分２の大きさを変えることができる。
【００２１】
図４は、図１及び図２に示す物品保持用ショルダーベルト１の肩部用ベルト状部分３のみを取り外した部品図を示す。肩部用ベルト状部分３は、ベルト状の部材４１を有していて、その端部が三角形状の留具４２の一辺に巻きつけられて固定されている。
【００２２】
ベルト状部材４１には、面状ファスナー部分４１Ａ、４１Ｂが形成されていて、ベルト状の部材４１を折り曲げて面状ファスナー部分４１Ａと面状ファスナー部分４１Ｂとを合わせると、それらは互いにくっつくことができる。
【００２３】
留具４２の他の二辺には、それぞれ短いベルト状の部材４４、４５が巻きつけられて固定されていてＹ字形状の帯状部分を形成している。短いベルト状の部材４４、４５のそれぞれに留具４６，４７が取り付けられていて、それらには、それぞれ、図３に示すリング状部分２の２つのベルト状部材３１，３２の開放端部が通されて折り返される。それにより、ベルト状部材３１，３２のそれぞれの面状ファスナー部分３１Ａ、３１Ｂ、３２Ａ，３２Ｂが互いに接着することによって、リング状部分２が肩部用ベルト状部分３に固定される。
【００２４】
短いベルト状の部材４４とベルト状の部材４１との間の角度は、例えば、約１３５度であり、また、短いベルト状の部材４５とベルト状部材４１との間の角度は約１６５度を形成する。または、短いベルト状の部材４４とベルト状の部材４１との間の角度を、例えば、約１１０度にして、短いベルト状の部材４５とベルト状部材４１との間の角度を約１５６度にしてもよい。これらの角度は例示であり、リング状部分２の取り付け位置を考慮して任意に決定することができる。後述するように、リング状部分２に挿通する腕は右腕でも左腕でもよいため、挿通する腕を一方の側の腕に特定しない場合には、それらの角度を等しくしてもよい。
【００２５】
ただし、挿通する腕が決まっている場合に、リング状部分２、肩部用ベルト状部分３及び収容部用ベルト状部分４を身体によりフィットさせるためには、それらの部材の間の角度に相違を持たせ、特に、胸の前側に位置する短いベルト状部材とベルト状部材４１との接続部分の角度を大きくすることが望ましい。
【００２６】
図５Ａは、図１及び図２に示す物品保持用ショルダーベルト１の収容部用ベルト状部分４のみを取り外した部品図を示す。収容部用ベルト状部分４は、収容部５０と固定部５１とからなる。
【００２７】
収容部５０の開放端部には留具５９が取り付けられており、それには、図４に示す肩部用ベルト状部分３のベルト状部材４１の端部が挿入される。ベルト状部材４１を折り曲げて、面状ファスナー部分４１Ａと面状ファスナー部分４１Ｂとを互いに接着させると、肩部用ベルト状部分３に収容部用ベルト状部分４を接続することができる。
【００２８】
固定部５１には、面状ファスナー部分５１Ａ、５１Ｂが形成されていて、その固定部５１を折り曲げて面状ファスナー部分５１Ａと面状ファスナー部分５１Ｂとを接触させると、それらは互いに接着することができる。
【００２９】
収容部５０は、ベース部分５５と、それに固定された２つのループからなる本体部５２と、収容部５０の長手方向に配置された押え部５３とを備える。本体部５２は例えばゴムベルトから構成されていて、そこに収容された例えば携帯通信機の本体を収縮力によって保持する。また、押え部５３は、携帯通信機が本体部５２から抜け出ることを防ぐためのもので、図５Ａに向かって、上方の端部が、収容部用ベルト状部分４の上端部に固定されており、また、下方の端部が、本体部５２の正面に面状ファスナーによって固定されている。
【００３０】
また、収容部５０の上方部分には、幅の狭い３本のベルト５４が取り付けられていて、本体部５２に収容された例えば携帯通信機の寸法の相違に応じて、押え部５３を通すベルト５４の本数を選択することによって、その携帯通信機を適切に保持することができるようになる。例えば、小さな携帯通信機を収容する場合には、図５Ａに示すように、押え部５３を３本のすべてのベルトの下を通し、大きな携帯通信機を収容する場合には、押え部５３をどのベルト５４の下を通すことなく又は上方の１つのみのベルト５４の下を通す。
【００３１】
図５Ｂは、収容部５０に、携帯通信機５８を収容した例を説明するための拡大正面図である。携帯通信機５８は、伸縮自在な本体部５２に収容されて保持されている。さらに、押え部５３が２本のベルト５４とベース部分５５との間を通されている。押え部５３は、携帯通信機５８の中央から突出しているアンテナに接触しないように、一部の部分５３Ｐが縦に２つ折りにされている。
【００３２】
［物品保持用ショルダーベルトの使用例］
図６は、本発明に係る物品保持用ショルダーベルト１の使用例を説明するための図である。その図に示すように、リング状部分２に右腕が通され、肩部用ベルト状部分３が、右肩から首の後ろ側を回って左胸の上部に達し、収容部用ベルト状部分４が、そこから左胸の前に下げられている。収容部用ベルト状部分４の先端にある固定部５１が、ズボンの腰のベルト６２の内側から回って上に折り返されて、固定部５１に形成されている面状ファスナー部分５１Ａ、５１Ｂを接触させて接着させている。その面状ファスナー部分の接着の位置を変えることにより、物品保持用ショルダーベルト１を身体に密接させる度合いを変えることができる。
【００３３】
収容部５０には、携帯用品６８が収容されていて、それは伸縮自在な本体部５２と押え部５３とによって適切に保持されている。そのため、この状態で装着した者が走ったとしても携帯用品６８が揺れたりすることを防ぐことができる。一方、携帯用品６８を取り出す際には、その携帯用品を単に押え部５３と伸縮自在な本体部５２との隙間から抜き出せばよい。
【００３４】
図７は、収容部用ベルト状部分４の固定部５１に用いることのできる延長部材７０を示す。その延長部材７０は、板状部材であり、それには、一方の面の半分の部分に面状ファスナー部分７０Ａが形成されていて、その裏面に、面状ファスナー部分７０Ａが形成されていない位置に対応する部分に、それとは異なる種類の面状ファスナー７０Ｂが形成されている。面状ファスナー部分７０Ａは、図５Ａに示す固定部５１の面状ファスナー部分５１Ｂと接着することができるもので、また、面状ファスナー部分７０Ｂは、図５Ａに示す固定部５１の面状ファスナー部分５１Ａと接着することができるものである。
【００３５】
その延長部材７０は、身体の大きさの相違を補うために使用するもので、特に、身体が大きくて、腰のベルトにベルト状部分４が届かない場合に、固定部５１の面状ファスナー部分５１Ａ（図５Ａ）に、延長部材７０の面状ファスナー部分７０Ｂを接着させて、実質的に、固定部５１の長さを延長させる。それから、その延長した延長部材７０の面状ファスナー７０Ａの部分を腰のベルトを内側から通して上に向けて折り返し、固定部５１の面状ファスナー部分５１Ｂの部分に、その延長部材７０の面状ファスナー７０Ａを接着させる。それにより、ベルト状部分４をズボンの腰のベルトに固定することができるようになる。
【００３６】
［他の実施形態］
上記の実施形態では、リング状部分２に右腕を通し、肩部用ベルト状部分３を肩から首の後ろを回し、収容部用ベルト状部分４を左胸の前に垂らすようにする使用例を示したが、リング状部分２に左腕を通し、肩部用ベルト状部分３を肩から首の後ろ側を回し、収容部用ベルト状部分４を右胸の前に垂らすようにしてもよい。その際には、収容部用ベルト状部分４の固定部５１を腰のベルト６２の内側から回って上に折り返して面状ファスナー部分５１Ａ、５１Ｂで接着する。
【００３７】
また、図６では、ズボンのベルト６２にベルト状部分４の端部を巻きつけることによって、本発明に係る物品保持用ショルダーベルト１を身体に固定する例を説明したが、図６のようなズボンのベルトとは異なる別の固定用ベルト状部材（図示せず）を用いてもよい。固定用ベルト状部材は、一本のベルト状部材からなり、それをリング状部分２の係合部３３に挿通して胸の周りに巻きつけて用いる。それに、ベルト状部分４の端部を内側から通して上に折り返して面状ファスナー同士を接着させると、本発明に係る物品保持用ショルダーベルト１を身体に固定することができる。
【図面の簡単な説明】
【００３８】
【図１】図１は、本発明の一実施形態に係る物品保持用ショルダーベルトの斜視図である。
【図２】図２は、図１の本発明の一実施形態に係る物品保持用ショルダーベルトの斜視図と異なる方向から見た斜視図である。
【図３】図３は、図１の本発明の一実施形態に係る物品保持用ショルダーベルトを構成するリング状部分の分解図である。
【図４】図４は、図１の本発明の一実施形態に係る物品保持用ショルダーベルトを構成する肩部用ベルト状部分の分解図である。
【図５Ａ】図５Ａは、図１の本発明の一実施形態に係る物品保持用ショルダーベルトを構成する収容部用ベルト状部分の分解図である。
【図５Ｂ】図５Ｂは、図１の本発明の一実施形態に係る物品保持用ショルダーベルトを構成する収容部用ベルト状部分の収容部の拡大図である。
【図６】図６は、図１に係る物品保持用ショルダーベルトの使用状態を説明するための斜視図である。
【図７】図７は、図１に係る物品保持用ショルダーベルトに使用することができる延長部材の正面図である。
【符号の説明】
【００３９】
１：物品保持用ショルダーベルト
２：リング状部分
３：肩部用ベルト状部分
４：収容部用ベルト状部分
３１，３２，４１：ベルト状の部材
３１Ａ，３１Ｂ，４１Ａ，４１Ｂ，５１Ａ，５１Ｂ，７０Ａ，７０Ｂ：面状ファスナー部分
４２：留具
４４，４５：短いベルト状の部分
５０：収容部
５１：固定部
５２：本体部
５３：押え部
５４：ベルト
【図１】
2010046410.tif 000003
【図２】
2010046410.tif 000004
【図３】
2010046410.tif 000005
【図４】
2010046410.tif 000006
【図５Ａ】
2010046410.tif 000007
【図５Ｂ】
2010046410.tif 000008
【図６】
2010046410.tif 000009
【図７】
2010046410.tif 000010